【手続補正書】
【提出日】平成23年1月6日(2011.1.6)
【手続補正１】
【補正対象書類名】特許請求の範囲
【補正対象項目名】全文
【補正方法】変更
【補正の内容】
【特許請求の範囲】
【請求項１】
インクジェットプリンタのインクチャンバからインクを射出させる方法において、前記方法が、
前記インクチャンバから第１のインク塊を吐出させる工程、及び
選ばれた休止期間の経過後、前記インクチャンバから第２のインク塊を吐出させる工程であって、前記第１と第２のインク塊が、１-塊インク滴より大きいインク滴の大きさを有する２-塊インク滴を形成する工程、
を含み、
前記休止期間が前記チャンバの基本共鳴周波数の逆数より長くなるように選ばれ、前記休止期間が、前記第２のインク塊が吐出される時点において前記第１のインク塊が前記インクチャンバ内のインクと接したままでいるように選ばれ、該休止期間が、前記第１と第２のインク滴が前記インクジェットプリンタのオリフィスプレートを離れて基板に向かう途上で、紐帯で連結されたままになるほど十分に短く、大インク滴の速度が小インク滴の速度と相異なり、液滴寿命がインク滴の大きさに無関係である、
ことを特徴とする方法。
【請求項２】
前記第２のインク塊を吐出させる工程が、前記第２のインク塊に、前記第１のインク塊の速度を上回る速度を与える工程を含むことを特徴とする請求項１に記載の方法。
【請求項３】
前記選択された休止期間の経過後、前記インクチャンバから第３のインク塊を吐出させる工程をさらに含むことを特徴とする請求項１に記載の方法。
【請求項４】
前記第３のインク塊を吐出させる工程が、前記第３のインク塊に、前記第２のインク塊の速度を上回る速度を与える工程を含むことを特徴とする請求項３に記載の方法。
【請求項５】
前記休止期間を約１５マイクロ秒と１６マイクロ秒の間にあるように選択する工程をさらに含むことを特徴とする請求項１に記載の方法。
【請求項６】
前記第１及び第２のインク塊を含むインク滴の液滴寿命が、単一のインク塊で形成されるインク滴の液滴寿命に等しくなるように選ばれた第１及び第２の運動量を、前記第１及び第２のインク塊に与える工程をさらに含むことを特徴とする請求項１に記載の方法。
【請求項７】
前記第１及び第２のインク塊を吐出させる工程が、所定の射出パルスのパレットから射出パルスの組合せを選択する工程を含むことを特徴とする請求項１に記載の方法。
【請求項８】
前記第１，第２及び第３のインク塊を含むインク滴の液滴寿命が、２つのインク塊で形成されるインク滴の液滴寿命に等しくなるように選ばれた第１，第２及び第３の運動量を、それぞれ前記第１，第２及び第３のインク塊に与える工程をさらに含むことを特徴とする請求項４に記載の方法。
【請求項９】
インクジェットプリンタヘッドのインクチャンバからインクを射出する方法において、前記方法が、
選ばれた液滴寸法を有するインク滴を生成するために必要なインク塊の第１の数を決定する工程、
時間とともに長くなる長さを有する自由表面導液路を形成するためにインクを吐出する工程であって、前記自由表面導液路はインクチャンバ内のインクとオリフィスから離脱していく先頭インク塊の間に延びるものである工程、及び
一組の後続インク塊に、前記先頭インク塊に向け、前記自由表面導液路に沿って進行させる工程であって、前記一組の後続インク塊は前記第１の数より１少ない数のインク塊を有し、前記インク塊は前記インクチャンバの最低共鳴周波数の逆数より長い休止期間によって時間的に分離されるものである工程、
を有してなり、
それによって前記インク塊が前記インクジェットプリンタのオリフィスプレートを離れて基板に向かう途上で、紐帯で連結されたままである方法。
【請求項１０】
前記一組の後続インク塊に前記自由表面導液路に沿って進行させる工程が、前記後続インク塊に前記先頭インク塊の速度より大きい速度で進行させる工程を含むことを特徴とする請求項９に記載の方法。
【請求項１１】
インクジェットプリンタのインクチャンバからインクを射出させるためのソフトウエアがその上にエンコードされている機械読取可能媒体において、前記ソフトウエアが、
前記インクチャンバから第１のインク塊を吐出させるための命令、及び
選ばれた休止期間の経過後、前記インクチャンバから第２のインク塊を吐出させるための命令であって、前記第１と第２のインク塊が、１-塊インク滴より大きいインク滴の大きさを有する２-塊インク滴を形成する命令、
を含み、
前記休止期間が前記チャンバの基本共鳴周波数の逆数より長くなるように選ばれ、前記休止期間が、前記第２のインク塊が吐出される時点において前記第１のインク塊が前記インクチャンバ内のインクと接したままでいるように選ばれ、該休止期間が、前記第１と第２のインク滴が前記インクジェットプリンタのオリフィスプレートを離れて基板に向かう途上で、紐帯で連結されたままになるほど十分に短く、大インク滴の速度が小インク滴の速度と相異なり、液滴寿命がインク滴の大きさに無関係である、
ことを特徴とする機械読取可能媒体。
【請求項１２】
前記第２のインク塊を吐出させるための命令が、前記第２のインク塊に、前記第１のインク塊の速度を上回る速度を与えるための命令を含むことを特徴とする請求項１１に記載の機械読取可能媒体。
【請求項１３】
前記ソフトウエアが、前記選択された休止期間の経過後、前記インクチャンバから第３のインク塊を吐出させるための命令をさらに含むことを特徴とする請求項１１に記載の機械読取可能媒体。
【請求項１４】
前記第３のインク塊を吐出させるための命令が、前記第３のインク塊に、前記第２のインク塊の速度を上回る速度を与えるための命令を含むことを特徴とする請求項１３に記載の機械読取可能媒体。
【請求項１５】
前記ソフトウエアが前記休止期間を約１５マイクロ秒と１６マイクロ秒の間になるように選択するための命令をさらに含むことを特徴とする請求項１１に記載の機械読取可能媒体。
【請求項１６】
前記ソフトウエアが、前記第１及び第２のインク塊を含むインク滴の液滴寿命が単一のインク塊で形成されるインク滴の液滴寿命に等しくなるように選ばれた第１及び第２の運動量を前記第１及び第２のインク塊に与えるための命令をさらに含むことを特徴とする請求項１１に記載の機械読取可能媒体。
【請求項１７】
前記第１及び第２のインク塊を吐出させるための命令が、所定の射出パルスのパレットから射出パルスの組合せを選択するための命令を含むことを特徴とする請求項１１に記載の機械読取可能媒体。
【請求項１８】
前記ソフトウエアが、前記第１，第２及び第３のインク塊を含むインク滴の液滴寿命が２つのインク塊で形成されるインク滴の液滴寿命に等しくなるように選ばれた第１，第２及び第３の運動量をそれぞれ前記第１，第２及び第３のインク塊に与えるための命令をさらに含むことを特徴とする請求項１４に記載の機械読取可能媒体。
【請求項１９】
インクジェットプリンタヘッドのインクチャンバからインクを射出するためのソフトウエアがその上にエンコードされている機械読取可能媒体において、前記ソフトウエアが、
選ばれた液滴寸法を有するインク滴を生成するために必要なインク塊の第１の数を決定するための命令、
時間とともに長くなる長さを有する自由表面導液路を形成するためにインクを吐出するための命令であって、前記自由表面導液路はインクチャンバ内のインクとオリフィスから離脱していく先頭インク塊の間に延びるものである命令、及び
一組の後続インク塊に、前記先頭インク塊に向け、前記自由表面導液路に沿って進行させるための命令であって、前記一組の後続インク塊は前記第１の数より１少ない数のインク塊を有し、前記インク塊は前記インクチャンバの最低共鳴周波数の逆数より長い休止期間によって時間的に分離されるものである命令、
を含み、
それによって前記インク塊が前記インクジェットプリンタのオリフィスプレートを離れて基板に向かう途上で、紐帯で連結されたままであることを特徴とする機械読取可能媒体。
【請求項２０】
前記一組の後続インク塊に前記自由表面導液路に沿って進行させるための命令が、前記後続インク塊に前記先頭インク塊の速度より大きい速度で進行させるための命令を含むことを特徴とする請求項１９に記載の機械読取可能媒体。
【請求項２１】
インクジェットプリンタ用圧電型プリントヘッドにおいて、前記プリントヘッドが、
インクチャンバを定める壁、
前記インクチャンバに機械的に連結している圧電アクチュエータ、及び
前記圧電アクチュエータを制御するためのコントローラ、
を備え、前記コントローラは、前記圧電アクチュエータに、
前記インクチャンバから第１のインク塊を吐出させ、
選ばれた休止期間の経過後、前記インクチャンバから第２のインク塊を吐出させる、
ように構成され、２-塊インク滴が１-塊インク滴より大きいインク滴の大きさを有し、
前記休止期間が前記チャンバの基本共鳴周波数の逆数より長くなるように選ばれ、
前記休止期間が、前記第２のインク塊が吐出される時点において前記第１のインク塊が前記インクチャンバ内のインクと接したままでいるように選ばれ、該休止期間が、前記第１と第２のインク滴が前記インクジェットプリンタのオリフィスプレートを離れて基板に向かう途上で、紐帯で連結されたままになるほど十分に短く、大インク滴の速度が小インク滴の速度と相異なり、液滴寿命がインク滴の大きさに無関係である、
ことを特徴とする圧電型プリントヘッド。